【事件の表示】
　特願２００４−５１７０９２「無線周波数データの取り込み」拒絶査定不服審判事件〔平成１６年　１月　８日国際公開、ＷＯ２００４／００４２６３、平成１７年１０月１３日国内公表、特表２００５−５３１２４４〕について、次のとおり審決する。
【結　論】
　本件審判の請求は、成り立たない。
【理　由】
１．手続の経緯
　本願は、２００３年６月５日（パリ条約による優先権主張外国庁受理２００２年６月２７日、米国）を国際出願日とする出願であって、平成２１年１０月２７日付けで拒絶理由通知がなされ、平成２２年２月１日付けで手続補正がなされたが、同年７月２８日付けで拒絶査定がなされ、これに対し、同年９月１３日に拒絶査定不服審判の請求がなされたものである。
　
２．本願発明
　本願の請求項１に係る発明は、平成２２年２月１日付けの手続補正書により補正された特許請求の範囲の請求項１に記載されたとおりの次のものと認める。（以下、「本願発明」という。）
「ユーザにより再生されるオーディオまたはビデオコンテンツを含む無線周波数（ＲＦ）信号のスペクトルを処理するシステムであって、
　ＲＦ信号のスペクトルをサンプリングおよびデジタル化して、デジタル化されたデータを生成する、アナログデジタル（Ａ／Ｄ）変換器であって、前記ＲＦ信号のスペクトルを、そのスペクトルに含まれる最も高い周波数信号の周波数の少なくとも２倍の速度でサンプリングする、アナログデジタル（Ａ／Ｄ）変換器と、
　前記デジタル化されたデータを記憶する、少なくとも１つの記憶装置と、
　ユーザ入力に応じて、入力ＲＦ信号をフィルタ処理して前記入力ＲＦ信号の一部の周波数を選択的に送信し、前記入力ＲＦ信号の他の周波数を選択的に遮断するためのフィルタを選択する、プロセッサであって、前記Ａ／Ｄ変換器によってサンプリングされたＲＦ信号のスペクトルは、前記選択的に送信された信号を含んでおり、少なくとも２つの異なる変調技術について、前記デジタル化されたＲＦ信号をサーチして、前記ＲＦ信号の変調技術を検出し、前記検出した変調技術に基づいて前記デジタル化されたデータを処理してユーザに再生する、プロセッサと、
　を備えるシステム。」
　
３．引用例
　これに対して、原査定の拒絶の理由に引用された特開２００２−２６７５８号公報（以下、「引用例１」という。）、及び「平 進太郎，中川 正雄，蓄積一括復調方式に基づく変調方式の識別，電子情報通信学会技術研究報告. DSP，ディジタル信号処理，社団法人電子情報通信学会，１９９７年１２月１１日，Vol.97，No.421，pp.47-54」（以下、「引用例２」という。）には、それぞれ、図面とともに次の事項が記載されている。
　
（引用例１）
Ａ．「【０００１】
【発明の属する技術分野】本発明は、無線通信に関し、より詳細には、無線周波数（ＲＦ）でアナログ・デジタル変換を用いる無線通信システムにおける受信機アーキテクチャに関する。」
　
Ｂ．「【０００７】
【課題を解決するための手段】本発明は、無線周波数（ＲＦ）でアナログ信号を受信する受信機に関し、ＲＦアナログ信号はデジタルドメインに変換される。このため、受信機は、アナログ・デジタル変換の前に周波数コンバージョンステージを必要としない。例えば、受信機は、異なる周波数帯域で無線周波数（ＲＦ）アナログ信号を受信する少なくとも１つのアンテナを備え得る。アナログＲＦ信号は、単一のアナログ・デジタル（Ａ／Ｄ）変換器に与えられ、Ａ／Ｄ変換器は、異なる周波数帯域のアナログＲＦ信号をナイキスト帯域幅内のデジタル信号に変換する。ＲＦアナログ信号についてＡ／Ｄ変換器のサンプリング速度を適切に選択することによって、Ａ／Ｄ変換器は、ナイキスト帯域幅の非重畳部内のアナログ信号の異なる周波数帯域の複製を生成し得る。」
　
Ｃ．「【０００９】
【発明の実施の形態】ＲＦアナログ信号をデジタルドメインに変換するために単一のアナログ・デジタル（Ａ／Ｄ）変換器を用いる受信機システムの例示的な実施の形態を以下に記載する。ＲＦアナログ信号は、ナイキスト帯域幅内にＲＦで信号帯域幅（単数または複数）の複製を生成させるＡ／Ｄ変換器のためのサンプリング速度を用いて、デジタル変換される。そのため、本発明の原理による受信機アーキテクチャは、ＲＦアナログ信号をダウン変換するために、ミキサ（単数または複数）および局所発振器（単数または複数）を含む周波数コンバージョンステージ（単数または複数）を必要としない。さらに、１つのＡ／Ｄ変換器を用いることによって、受信機は、ある実施の形態において、異なる周波数帯域（単数または複数）内のアナログ信号の時間および／または位相コヒーレントサンプリングを提供する。
【００１０】図１を特に参照すると、受信機１０は、Ｎ＞１であるＲＦ通信チャネルに渡ってアナログ信号を受信するＮ個のアンテナ１２ａ〜ｎを含む。アンテナ１２ａは複数周波数帯域アンテナであり得る。Ｎプレクサフィルタまたはコンバイナアレイなどのチャネルブランチ分配装置１４は、受信したＲＦアナログ信号またはその一部を組み合わせおよび／または分離し、受信したアナログ信号を所望の方法でＸ個のチャネルブランチ１６ａ〜ｘに与え、ここでＸ＞＝１であり、Ｎに等しくあり得るが、Ｎに等しい必要はない。例えば、異なるチャネルブランチ１６ａ〜ｘは、対応するＲＦ周波数帯域についてアナログ信号を搬送することができ、チャネルブランチ１６ａ〜ｘは、異なるアンテナ（単数または複数）またはアンテナの組によって、および／または異なるまたは連続する周波数帯域のＲＦアナログ信号の複写を有する複数のチャネルブランチによって、受信されたＲＦアナログ信号を搬送し得る。この実施の形態において、フィルタ配置１８は、少なくとも１つのチャネルブランチ１６ａ〜ｘ上に少なくとも二つの異なるＲＦ周波数帯域を提供する。例えば、フィルタ配置１８は、他の周波数を減衰しながら、各々のチャネルブランチ１６ａ〜ｘ上の周波数帯域を通過する各チャネルブランチ１６ａ〜ｘ上のフィルタ２０ａ〜ｘを含み得る。または、実施の形態に依存して、チャネルブランチ分配装置１４は、アンテナ（単数または複数）１２ａ〜ｎからフィルタ配置１８への直接連結（単数または複数）をただ単に含むのみであり得、フィルタ配置１８は、各チャネルブランチ１６ａ〜ｘについてフィルタ２０ａ〜ｘを含み得る。
【００１１】組合せ配置２２は、所望の方法でチャネルブランチ１６ａ〜ｘ上のＲＦアナログ信号を組み合わせる。結果として得られる複合アナログ信号は、異なる周波数帯域内のアナログ信号を有する状態で、ＲＦアナログ信号をデジタル化し、デジタル化された信号をデジタル処理回路２６に与えるアナログ・デジタル変換器２４へ与えられる。あるいは、実施の形態に依存して、受信機１０が単一のブランチ１６を有する場合、組合せ配置２２は、ただ単に、アンテナ１２からフィルタ２０（必要な場合）を介してＡ／Ｄ変換器２４への接続である。
【００１２】チャネルブランチ１６ａ〜ｘ上のＲＦアナログ信号の周波数帯域が、アナログ・デジタル（Ａ／Ｄ）変換器２４によって与えられるナイキスト帯域幅を反映する第１のナイキストゾーンの非重畳部に向って折り返すように、Ａ／Ｄ変換器２４についてのサンプリング速度が選択される。変調されたアナログ信号についてのナイキストサンプリング速度は、例えば、情報信号が搬送信号上で変調される場合には、情報信号が変調される搬送周波数とは無関係に、情報信号の最高周波数成分の少なくとも二倍として規定され得る。音声、データ、映像、テキストおよび／または他の情報であり得る情報は、信号帯域幅内で搬送される。情報信号の最高周波数成分は、信号帯域幅に直接関連付けられる。信号帯域幅は情報信号の最高周波数成分の少なくとも二倍でサンプリングされるので、情報信号はデジタルドメイン内で再生され得る。
【００１３】周波数スペクトルが、ナイキストサンプリング速度と称され得る、組み合わせられた信号帯域幅の少なくとも二倍のサンプリング速度でＡ／Ｄ変換器２４によってサンプリングされると、信号帯域幅は、０Ｈｚからサンプリング速度の２分の１のまでのデジタルドメイン中の第１のナイキストゾーンに向って、サンプリング速度の２分の１の周波数倍数または間隔（「ナイキストゾーン」）でそれ自体の周りを周期的に回転または折り返す。そのため、信号帯域幅および信号帯域幅の鏡像は、Ａ／Ｄ変換器のサンプリング速度に対応する周波数間隔で周期的に繰り返す。例えば、奇数ナイキストゾーン内の信号帯域幅は、第１のナイキストゾーンに向って折り返した奇数ナイキストゾーン中では同じ相対位置に現れるが、偶数ナイキストゾーン中では鏡像として現れる。さらに、偶数ナイキストゾーン中の信号帯域幅は、偶数ナイキストゾーン中では同じ相対位置に現れるが、第１のナイキストゾーンに向って折り返した奇数ナイキストゾーン中では鏡像として現れる。従って、信号帯域幅（単数または複数）の複製は、サンプリング速度の２分の１の間隔で繰り返される。Ａ／Ｄ変換器についてのサンプリング速度は、アナログ信号がデジタル化された後、所望の複製周波数帯域幅が第１のナイキストゾーンの非重畳部またはチャネルを占めるように選択される。デジタル変換は、第１のナイキストゾーンの帯域幅中のサンプリング速度の２分の１未満またはそれに等しい速度で生成される情報を有効に保存する。サンプリング速度を上昇させると、第１のナイキストゾーンまたはナイキスト帯域幅が広くなる。
【００１４】この実施の形態において、デジタル信号値の高速フーリエ変換（ＦＦＴ）によって、変換されたアナログ信号を表すサンプリング速度の２分の１（「第１のナイキストゾーン」）内の周波数帯域（「ナイキストゾーンチャネル」）における信号が与えられる。波形がその信号帯域幅（ナイキスト帯域幅）の２倍未満の速度でサンプリングされると、隣接する周期的スペクトル間の望ましくない重畳、すなわち、エイリアシングとして知られている公知の現象が生じ得る。従って、サンプリング速度は、エイリアシングによる情報の損失を回避するように選択される。
【００１５】例えば、図２に示されるように、異なるＲＦ帯域のアナログ信号のデジタルドメインへの変換において、Ａ／Ｄ変換器２４は複合アナログ信号を処理し、第１のナイキストゾーン中のナイキストゾーンチャネル３０ａ〜ｘまたは帯域に変換する。デジタルドメイン中のナイキストゾーンチャネル３０ａ〜ｘは、ＲＦアナログ信号の異なる周波数帯域２８ａ〜ｘに対応する。例えば、デジタルフィルタ、デジタルコンバイナ、デジタル検出器、デジタル復調器、データ速度をデジタルにダウン変換する（間引きと称される）ための数値制御発振器（ＮＣＯ）を有するデジタルダウン変換器（ＤＤＣ）などのデジタルダウン変換器、および／または他のデジタル処理を用いて行うアナログ入力信号のデジタル化後、異なるチャネルが結局は第１のナイキストゾーン内にあるので、デジタル信号処理回路２６は、第１のナイキストゾーンのナイキストゾーンチャネルからデジタル信号を検索し得る。ＤＤＣは、さらなる信号処理について各々の周波数に同調し得る。従って、受信機１０は、１つのＡ／Ｄ中で利用可能な帯域幅を用いて、異なるＲＦ周波数帯域からのＲＦアナログ信号を処理し得る。
【００１６】そのため、本発明の原理による受信機１０によって、いずれものチャネルブランチ１６ａ〜ｘ上でミキサ／ＬＯ組合せが必要なくなる。ミキサ／ＬＯ組合せを有さない受信機１０は多くの利点を有する。例えば、周波数コンバージョンステージにおいて固定局所発振器（ＬＯ）がないと、ＤＣ電力消費が低減し、アンテナからのＬＯの再放射が無くなることにより余分なフロントエンドフィルタリングの必要性が低くなり、ＩＦでのフィルタ要件が無くなり、画像帯域フィルタが必要無くなる。ミキサが必要とされないので、スプリアスミキサ生成物およびミキサによって生成される相互変調歪みが除去され、それによってスプリアスの無いダイナミックレンジが改善される。さらに、ミキサによって導入された損失が除去され、それによって必要とされるチャネル利得が低減され、雑音指数および利得線形性が改善される。さらに、単一のＡ／Ｄ変換器を用いることによって、受信機は、異なる周波数帯域（単数または複数）内のアナログ信号の時間および／または位相コヒーレントサンプリングを提供する。異なるアプリケーションまたは信号処理方式は、そのような改善された時間および／または位相コヒーレント測定から利益を受け得る。」
　
Ｄ．「【００１７】実施の形態に依存し、および本発明の原理による受信機のフレキシビリティによって、受信機は、Ａ／Ｄ変換器２４の潜在的な帯域幅を用いるために異なる方法で実施され得る。図３は、セルラーおよびパーソナル通信システム（ＰＣＳ）周波数帯域中の通信信号を受信するために用いられる本発明のいくつかの原理による、複数帯域受信機５０の実施の形態を図示する。米国では、「Ａ」帯域セルラーサービスプロバイダのための基地局は、Ａ（８２５−８３５ＭＨｚ）、Ａ”（８２４−８２５ＭＨｚ）およびＡ’（８４５−８４６．５ＭＨｚ）帯域内の周波数チャネルを受信する。Ｂ帯域セルラーサービスプロバイダのための基地局は、Ｂ（８３５−８４５ＭＨｚ）およびＢ’（８４６．５−８４９ＭＨｚ）周波数帯域を用いる。本例において、第１のアンテナ１２ａは、セルラー基地局全受信帯域（８２４−８４９ＭＨｚ）内の変調されたアナログ信号を受信し、第２のアンテナ１２ｂは、ＰＣＳ基地局全受信帯域（１８５０−１９１０ＭＨｚ）内の変調されたアナログ信号を受信する。
【００１８】この実施の形態において、アンテナ１２ａからのＲＦアナログ信号は第１のチャネルブランチ１６ａに与えられ、アンテナ１２ｂからのＲＦアナログ信号は第２のチャネルブランチ１６ｂに与えられる。第１のチャネルブランチ１６ａ上の帯域フィルタ２０ａは、セルラー帯域（８２４−８４９ＭＨｚ）中の周波数を通過させ、他の全ての周波数を減衰させる。第２のチャネルブランチ１６ｂ上の帯域フィルタ２０ｂは、ＰＣＳ帯域（１８５０−１９１０ＭＨｚ）中の周波数を通過させ、他の全ての周波数を減衰させる。この実施の形態において、低雑音増幅器（ＬＮＡ）５２ａおよびｂは、各々チャネルブランチ１６ａおよびｂ上のアナログ信号を増幅させる。組合せ配置５６は、第１および第２のチャネルブランチ１６ａおよびｂ上のアナログ信号を受信し、二つの異なる周波数帯域の組み合わせられたアナログ信号をＡ／Ｄ変換器２４に与える。上述の組合せ配置５６は、電力コンバイナまたはマルチプレクサフィルタであり得る。
【００１９】本例において、異なるブランチ１６ａおよびｂ上のＲＦアナログ信号の全帯域幅は、セルラー（２５ＭＨｚ）およびＰＣＳ（６０ＭＨｚ）帯域を加算すると、８５ＭＨｚである。このため、Ａ／Ｄ変換器２４についてのサンプリング速度は、ナイキスト帯域幅がＲＦアナログ信号の８５ＭＨｚ帯域幅を扱うために十分であるように用いられる。さらに、Ａ／Ｄ変換器２４についてのサンプリング速度は、異なる周波数帯域はナイキスト帯域幅の非重畳部内で複製されるように選択される。このため、各々のナイキストゾーン内の異なる周波数帯域の相対的な位置付けは、サンプリング速度の選択に影響を与える。例示のために、４００ＭＨｚサンプリング速度（４００メガサンプル毎秒）がＡ／Ｄ変換器２４のために用いられ、２００ＭＨｚのナイキスト帯域幅（サンプリング速度の２分の１）が与えられる。実際には、異なる周波数帯域またはブランチの信号間に異なる帯域幅またはガード帯域を提供するように、異なるサンプリング速度が選択され得る。Ａ／Ｄ変換器２４は、セルラー帯域（８２４−８４９ＭＨｚ）内およびＰＣＳ帯域（１８５０−１９１０ＭＨｚ）内の組合わせまたは複合アナログ信号をサンプリングする。このようにすることで、Ａ／Ｄ変換器２４は、セルラー帯域内の信号帯域幅に対応する２４〜４９ＭＨｚでのナイキストゾーンチャネル中の変換信号およびＰＣＳ帯域内の信号帯域幅に対応する９０〜１５０ＭＨｚでのナイキストゾーンチャネル内の変換信号をデジタル処理回路２６のために生成する。
【００２０】図４は、Ａ／Ｄ変換器２４によって生成される周波数スペクトルを図示し、ここでナイキストゾーン６０ａ〜ｊは、ナイキスト帯域幅の間隔、すなわち２００ＭＨｚで周波数スペクトルに渡って繰り返される。セルラー帯域は、ＲＦ周波数である８２４〜８４９ＭＨｚのＡ／Ｄ入力周波数での第５のナイキストゾーン６０ｅ中に現れる。セルラー帯域の複製は、２４と４９ＭＨｚ間のナイキストゾーンチャネルでセルラー帯域の情報信号の回復を提供する第１のナイキストゾーン６０ａに向って折り返す各ナイキストゾーン中に現れる。ＰＣＳ帯域は、ＲＦ周波数である１８５０〜１９１０ＭＨｚのＡ／Ｄ入力周波数での第１０のナイキストゾーン６０ｊ中に現れる。ＰＣＳ帯域の複製は、１８５０〜１９１０ＭＨｚＡ／Ｄ入力周波数の鏡像に対応する９０と１５０ＭＨｚとの間のナイキストゾーンチャネルでＰＣＳ帯域の情報信号の回復を与える第１のナイキストゾーン６０ａに向って折り返す各ナイキストゾーン中に現れる。
【００２１】Ａ／Ｄ変換器２４についてサンプリング速度を適切に選択することによって、本発明の原理による受信機は、Ａ／Ｄ変換器２４によって提供される潜在的なナイキスト帯域幅の使用を増加させて、大きい周波数差によって分離される異なる周波数帯域内のＲＦアナログ信号を受信し得る。上述の例において、全セルラーおよびＰＣＳ帯域が受信され、４００ＭＨｚのサンプリング速度を用いる単一のＡ／Ｄ変換器を用いてデジタル変換された。ＲＦ周波数でのアナログ信号のサンプリングにおいて、Ａ／Ｄ変換器は、デジタル信号処理に利用可能な第１のナイキストゾーン中のＲＦ周波数帯域の複製または像を与える。他の実施の形態において、ナイキスト帯域幅を増大または減少さるために異なるサンプリング速度が用いられ得、例えば、異なる周波数帯域の信号間にさらなる帯域幅またはガード帯域が提供される。」
　
Ｅ．「【００２２】例えば、図５は、３０．７２ＨＭｚ幅であるナイキストゾーンを提供する６１．４４ＭＨｚのサンプリング速度を用いるＡ／Ｄ変換器のためのナイキストゾーン周波数プランを図示する。ナイキストゾーンは、各ナイキストゾーン内の１５ＭＨｚ帯域幅が帯域内として図示されている。図６は３０．７２ＭＨｚ幅である第１のナイキストゾーンを示し、より高いナイキストゾーンでの異なる周波数帯域中の信号の複製が第１のナイキストゾーンの非重畳部またはチャネル内に示されている。第１のナイキストゾーンチャネル８０は、４００ｋＨｚ帯域幅を有する３６１ＭＨｚでのナイキストゾーン１２から折り返された振幅変調（ＡＭ）アナログ信号の複製と共に約７．５ＭＨｚで示されている。第２のナイキストゾーンチャネル８２は、２ＭＨｚ帯域幅を有する１８５３ＭＨｚでのナイキストゾーン６１から折り返された符号分割複数アクセス（ＣＤＭＡ）信号の複製と共に約１０ＭＨｚで示されている。第３のナイキストゾーンチャネル８４は、１４１．７ＭＨｚでのナイキストゾーン５から折り返された連続波（ＣＷ）単一トーン信号の複製と共に約１８．７５ＭＨｚで示されている。最後に、第４のナイキストゾーンチャネル８６は、４ＭＨｚ帯域幅を有する５１３．５ＭＨｚでのナイキストゾーン１７から折り返された周波数変調（ＦＭ）信号の複製と共に約２２ＭＨｚで示されている。従って、本発明の原理による受信機は、ＲＦ周波数帯域の周波数変換を行わない単一のＡ／Ｄ変換器において、異なるまたは同じ複数アクセス技術を用い、あるいは用いず、同じおよび／または異なる変調技術を用い、および／または異なるおよび／または連続する周波数帯域または方式を用いて、システムからアナログ信号を受信し、デジタル変換し得る。アナログ信号は、広帯域、広周波数帯域および／または狭帯域として特徴付けられ得る。
【００２３】上述の実施の形態の他に、構成要素を省くおよび／または付加する、および／または記載した受信機アーキテクチャの変形または部分を用いる、本発明の原理による受信機アーキテクチャの代替的な構成が可能である。例えば、図３を特に参照すると、ＡＭ放送無線帯域（５５０〜１６００ｋＨｚ）はアンテナ７６によって受信され、組合わせまたは複合アナログ信号に付加され得、Ａ／Ｄ変換器２４はＡＭ無線周波数帯域中のアナログ信号をデジタル化し得る。ＡＭ無線周波数帯域は、第１のナイキストゾーンのキロヘルツ範囲中に配置されるであろう。このため、本発明の原理による受信機は、セルラーまたはＰＣＳシステムのための基地局、ＡＭまたはＦＭ放送無線局および／またはＧＰＳ衛星などの異なる発信源からの信号を受信し得る。当業者が理解するように、受信機アーキテクチャを構成する様々な構成要素ならびにそれらの各々の動作パラメータおよび特性は適切に調和されて、適切な動作が提供されるべきである。例えば、受信機システムの実施の形態は、北アメリカＴＤＭＡシステム、汎欧州デジタル移動電話方式（ＧＳＭ）システム、符号分割多元接続（ＣＤＭＡ）システム、周波数分割多元接続（ＦＤＭＡ）システム、全宇宙測位システム（ＧＰＳ）、ＦＭラジオおよび／またはＡＭラジオからの信号を受信するために用いられ得る。さらに、本発明の原理による受信機の実施の形態は、基地局受信周波数と関連付けられた周波数帯域（単数または複数）を用いて記載されたが、本発明の原理による受信機アーキテクチャは、移動ユニット受信帯域である基地局送信帯域などの他の周波数帯域（単数または複数）から情報を受信する、移動ユニットなどの無線ユニット中で用いられ得る。」
　
　ここで、
（ア）上記Ｃの段落【００１２】に「音声、データ、映像、テキストおよび／または他の情報であり得る情報は、信号帯域幅内で搬送される。」と記載され、上記Ｅの段落【００２３】に「このため、本発明の原理による受信機は、セルラーまたはＰＣＳシステムのための基地局、ＡＭまたはＦＭ放送無線局および／またはＧＰＳ衛星などの異なる発信源からの信号を受信し得る。・・・例えば、受信機システムの実施の形態は、北アメリカＴＤＭＡシステム、汎欧州デジタル移動電話方式（ＧＳＭ）システム、符号分割多元接続（ＣＤＭＡ）システム、周波数分割多元接続（ＦＤＭＡ）システム、全宇宙測位システム（ＧＰＳ）、ＦＭラジオおよび／またはＡＭラジオからの信号を受信するために用いられ得る。さらに、本発明の原理による受信機の実施の形態は、基地局受信周波数と関連付けられた周波数帯域（単数または複数）を用いて記載されたが、本発明の原理による受信機アーキテクチャは、移動ユニット受信帯域である基地局送信帯域などの他の周波数帯域（単数または複数）から情報を受信する、移動ユニットなどの無線ユニット中で用いられ得る。」と記載されていることより、引用例１の受信機システムは、音声または映像、言い換えるとオーディオまたはビデオコンテンツである情報を再生する移動ユニットなどの無線ユニットであり、一般的に、ある装置におけるオーディオまたはビデオコンテンツの再生の指示はユーザにより行われるから、引用例１の受信機システムは、オーディオまたはビデオコンテンツがユーザにより再生されるものであると解される。
（イ）図１及び図３に記載された受信機システムの構成では、Ａ／Ｄ変換器２４の後段にデジタル信号処理回路２６が接続されているが、一般的に、デジタル信号処理回路はその入力信号を何らかの記憶回路から読み取って信号処理を行うものであるから、引用例１の受信機システムには、Ａ／Ｄ変換器２４とデジタル信号処理回路２６の間に、デジタル化されたデータを記憶する、少なくとも１つの記憶装置があるものと解される。
（ウ）上記Ｃの段落【００１０】に「例えば、フィルタ配置１８は、他の周波数を減衰しながら、各々のチャネルブランチ１６ａ〜ｘ上の周波数帯域を通過する各チャネルブランチ１６ａ〜ｘ上のフィルタ２０ａ〜ｘを含み得る。」と記載され、上記Ｄの段落【００１８】に「第１のチャネルブランチ１６ａ上の帯域フィルタ２０ａは、セルラー帯域（８２４−８４９ＭＨｚ）中の周波数を通過させ、他の全ての周波数を減衰させる。第２のチャネルブランチ１６ｂ上の帯域フィルタ２０ｂは、ＰＣＳ帯域（１８５０−１９１０ＭＨｚ）中の周波数を通過させ、他の全ての周波数を減衰させる。」と記載されていることより、引用例１の受信機システムは、入力ＲＦアナログ信号をフィルタ処理して前記入力ＲＦアナログ信号の一部の周波数を選択的に送信し、前記入力ＲＦアナログ信号の他の周波数を選択的に遮断するためのフィルタを備えていると解される。
（エ）上記Ｅの段落【００２２】に「従って、本発明の原理による受信機は、ＲＦ周波数帯域の周波数変換を行わない単一のＡ／Ｄ変換器において、異なるまたは同じ複数アクセス技術を用い、あるいは用いず、同じおよび／または異なる変調技術を用い、および／または異なるおよび／または連続する周波数帯域または方式を用いて、システムからアナログ信号を受信し、デジタル変換し得る。アナログ信号は、広帯域、広周波数帯域および／または狭帯域として特徴付けられ得る。」と記載され、同じく上記Ｅの段落【００２３】に「上述の実施の形態の他に、構成要素を省くおよび／または付加する、および／または記載した受信機アーキテクチャの変形または部分を用いる、本発明の原理による受信機アーキテクチャの代替的な構成が可能である。例えば、図３を特に参照すると、ＡＭ放送無線帯域（５５０〜１６００ｋＨｚ）はアンテナ７６によって受信され、組合わせまたは複合アナログ信号に付加され得、Ａ／Ｄ変換器２４はＡＭ無線周波数帯域中のアナログ信号をデジタル化し得る。ＡＭ無線周波数帯域は、第１のナイキストゾーンのキロヘルツ範囲中に配置されるであろう。このため、本発明の原理による受信機は、セルラーまたはＰＣＳシステムのための基地局、ＡＭまたはＦＭ放送無線局および／またはＧＰＳ衛星などの異なる発信源からの信号を受信し得る。当業者が理解するように、受信機アーキテクチャを構成する様々な構成要素ならびにそれらの各々の動作パラメータおよび特性は適切に調和されて、適切な動作が提供されるべきである。例えば、受信機システムの実施の形態は、北アメリカＴＤＭＡシステム、汎欧州デジタル移動電話方式（ＧＳＭ）システム、符号分割多元接続（ＣＤＭＡ）システム、周波数分割多元接続（ＦＤＭＡ）システム、全宇宙測位システム（ＧＰＳ）、ＦＭラジオおよび／またはＡＭラジオからの信号を受信するために用いられ得る。」と記載されていることより、引用例１の受信機システムは、少なくとも２つの異なる変調技術のそれぞれに基づいてデジタル化されたデータを処理してユーザに再生する、デジタル信号処理回路を備えていると解される。
　
　よって、上記Ａ〜Ｅの記載及び関連する図面を参照すると、引用例１には、次の発明が記載されているものと認められる。（以下、「引用例１記載の発明」という。）
「ユーザにより再生されるオーディオまたはビデオコンテンツを含む無線周波数（ＲＦ）アナログ信号の周波数スペクトルを処理する受信機システムであって、
　ＲＦアナログ信号の周波数スペクトルをサンプリングおよびデジタル化して、デジタル化されたデータを生成する、アナログ・デジタル（Ａ／Ｄ）変換器であって、前記ＲＦアナログ信号の周波数スペクトルを、その周波数スペクトルに含まれる情報信号の最高周波数成分の少なくとも二倍の速度でサンプリングする、アナログ・デジタル（Ａ／Ｄ）変換器と、
　前記デジタル化されたデータを記憶する、少なくとも１つの記憶装置と、
　入力ＲＦアナログ信号をフィルタ処理して前記入力ＲＦアナログ信号の一部の周波数を選択的に送信し、前記入力ＲＦアナログ信号の他の周波数を選択的に遮断するためのフィルタと、
　前記Ａ／Ｄ変換器によってサンプリングされたＲＦアナログ信号の周波数スペクトルは、前記選択的に送信された信号を含んでおり、
　少なくとも２つの異なる変調技術のそれぞれに基づいて前記デジタル化されたデータを処理してユーザに再生する、デジタル信号処理回路と、
　を備える受信機システム。」
　
（引用例２）
Ｆ．「１．まえがき
　ＤＳＰやＡ／Ｄ変換器等の半導体素子の高速化，低消費電力化に伴う通信技術の大きな流れの一つとして，従来ハードウエアが担ってきた通信機内の各種機能をソフトウエア化し，プログラマブルで即時に再構成可能な通信システムを実現しようというsoftware radioと呼ばれる動きがある(1)。すでに，software radioの実現例としては現在米空軍のローム研究所が開発中のSpeakeasyプロジェクトが有名であり(2)，そこではフィールドにおいて通信機内部のソフトを適宜変更することによって，軍内部に存在する様々なネットワーク間の通信を一台の通信機で行うことを目指している。一方，通信機のsoftware radio化によって，送信側が伝播路やトラフィックの状況によって通信諸元を変更してきても，それを受信側で判定して復調方式を変更できる汎用復調器の実現性が増してきている。そのような汎用復調器が持つことが予想される機能において，受信信号の変調方式の自動識別技術は重要な位置を占めるものである。」（第４８頁左欄第１行〜同欄第２３行）
　
Ｇ．「２．識別アルゴリズム
　図１に決定論的アルゴリズムに基づきかつ蓄積一括復調方式をパラメータ推定に使用したデジタル変調信号を入力とする自動識別アルゴリズムの機能ブロック図を示す。本アルゴリズムでは，最初にＦＳＫ系の信号をＰＳＫ系とＱＡＭ系の信号から分離する操作を，信号の正規化瞬時振幅の標準偏差をパラメータとして行う。
　・・・（中略）・・・
　ＱＡＭ系内の識別については，振幅の統計的な分布特性の違いをさらに顕著にするために，推定シンボル位置における正規化瞬時振幅の高次モーメントをパラメータとして行う。また，位相の場合と同様，高次モーメントは１解析フレーム毎に平均値をとるものとする。」（第４８頁右欄第４７行〜第４９頁右欄第３３行）
　
　ここで、
（オ）上記Ｆの記載より、引用例２のものは、複数の変調方式をとる受信信号をデジタル化して処理するsoftware radioであると認められる。
（カ）上記Ｇの記載及び図１の記載より、引用例２のものは、ＦＳＫ系、ＰＳＫ系、ＱＡＭ系といった複数の変調方式について、デジタル化された受信信号をサーチして、受信信号の変調方式を識別していると認められる。
　
　よって、上記Ｆ，Ｇの記載及び関連する図面を参照すると、引用例２には、次の発明が記載されているものと認められる。（以下、「引用例２記載の発明」という。）
「複数の変調方式について、デジタル化された受信信号をサーチして、受信信号の変調方式を識別するsoftware radio。」
　
４．対比
　本願発明と引用例１記載の発明とを対比すると、次のことがいえる。
　
（あ）引用例１記載の発明における「無線周波数（ＲＦ）アナログ信号」、「周波数スペクトル」、「受信機システム」、「ＲＦアナログ信号」、「アナログ・デジタル（Ａ／Ｄ）変換器」、「情報信号」、「二倍」、「入力ＲＦアナログ信号」、「デジタル信号処理回路」は、それぞれ、本願発明における「無線周波数（ＲＦ）信号」、「スペクトル」、「システム」、「ＲＦ信号」、「アナログデジタル（Ａ／Ｄ）変換器」、「周波数信号」、「２倍」、「入力ＲＦ信号」、「プロセッサ」に相当する。
　
（い）引用例１記載の発明における「周波数スペクトルに含まれる情報信号の最高周波数成分」は、本願発明における「スペクトルに含まれる最も高い周波数信号の周波数」に相当する。
　
（う）引用例１記載の発明における「少なくとも２つの異なる変調技術のそれぞれに基づいて前記デジタル化されたデータを処理してユーザに再生する、デジタル信号処理回路」と、本願発明における「少なくとも２つの異なる変調技術について、前記デジタル化されたＲＦ信号をサーチして、前記ＲＦ信号の変調技術を検出し、前記検出した変調技術に基づいて前記デジタル化されたデータを処理してユーザに再生する、プロセッサ」は、ともに、「少なくとも２つの異なる変調技術のそれぞれに基づいて前記デジタル化されたデータを処理してユーザに再生する、プロセッサ」であるということができる。
　
　上記（あ）〜（う）の事項を踏まえると、本願発明と引用例１記載の発明とは、次の点で一致し、また、相違するものと認められる。
　
（一致点）
　本願発明と引用例１記載の発明とは、ともに、
「ユーザにより再生されるオーディオまたはビデオコンテンツを含む無線周波数（ＲＦ）信号のスペクトルを処理するシステムであって、
　ＲＦ信号のスペクトルをサンプリングおよびデジタル化して、デジタル化されたデータを生成する、アナログデジタル（Ａ／Ｄ）変換器であって、前記ＲＦ信号のスペクトルを、そのスペクトルに含まれる最も高い周波数信号の周波数の少なくとも２倍の速度でサンプリングする、アナログデジタル（Ａ／Ｄ）変換器と、
　前記デジタル化されたデータを記憶する、少なくとも１つの記憶装置と、
　入力ＲＦ信号をフィルタ処理して前記入力ＲＦ信号の一部の周波数を選択的に送信し、前記入力ＲＦ信号の他の周波数を選択的に遮断するためのフィルタと、
　前記Ａ／Ｄ変換器によってサンプリングされたＲＦ信号のスペクトルは、前記選択的に送信された信号を含んでおり、
　少なくとも２つの異なる変調技術のそれぞれに基づいて前記デジタル化されたデータを処理してユーザに再生する、プロセッサと、
　を備えるシステム。」
である点。
　
（相違点）
相違点１：「プロセッサ」が、本願発明においては、「ユーザ入力に応じて、フィルタを選択する」ものであるのに対し、引用例１記載の発明においては、そのようなものでない点。
　
相違点２：「プロセッサ」が、本願発明においては、「少なくとも２つの異なる変調技術について、前記デジタル化されたＲＦ信号をサーチして、前記ＲＦ信号の変調技術を検出し、前記検出した変調技術に基づいて前記デジタル化されたデータを処理してユーザに再生する」ものであるのに対し、引用例１記載の発明においては、「少なくとも２つの異なる変調技術のそれぞれに基づいて前記デジタル化されたデータを処理してユーザに再生する」ものであるとされているだけで、「少なくとも２つの異なる変調技術について、前記デジタル化されたＲＦ信号をサーチして、前記ＲＦ信号の変調技術を検出し、前記検出した変調技術に基づいて前記デジタル化されたデータを処理してユーザに再生する」ものであるとはされていない点。
　
５．判断
　そこで、上記相違点１、２について検討する。
　
（相違点１について）
　プロセッサが、ユーザ入力に応じて、入力ＲＦ信号をフィルタ処理して前記入力ＲＦ信号の一部の周波数を選択的に送信し、前記入力ＲＦ信号の他の周波数を選択的に遮断するためのフィルタを選択することは、例えば、原査定の拒絶の理由に引用された特開平４−３７３２８８号公報の図１、図９及びそれらの説明等や、特開平６−３４３０５０号公報の図１、図９及びそれらの説明等に記載されているように、周知技術である。
　したがって、引用例１記載の発明において、上記周知技術を適用し、プロセッサが、ユーザ入力に応じて、フィルタを選択するものとすることは、当業者が適宜実施できたことにすぎない。
　
（相違点２について）
　上記３．に記載したとおり、引用例２記載の発明は、「複数の変調方式について、デジタル化された受信信号をサーチして、受信信号の変調方式を識別するsoftware radio。」である。
　そして、引用例１記載の発明と引用例２記載の発明はともに、複数の変調方式をとる受信信号をデジタル化して処理する受信機であるから、引用例１記載の発明に引用例２記載の発明を適用して、プロセッサを、少なくとも２つの異なる変調技術について、デジタル化されたＲＦ信号をサーチして、前記ＲＦ信号の変調技術を検出し、前記検出した変調技術に基づいて前記デジタル化されたデータを処理してユーザに再生するものとすることは、当業者が容易に想到できたことである。
　
（本願発明の作用効果について）
　そして、本願発明の構成によってもたらされる効果も、引用例１記載の発明、引用例２記載の発明、及び上記周知技術から当業者が容易に予測することができる程度のものであって、格別のものとはいえない。
　
６．むすび
　以上のとおり、本願発明は、引用例１記載の発明、引用例２記載の発明、及び上記周知技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。